(57)【要約】【課題】お面部材を両面テープ、接着剤、マグネット、ボタン、パッチン止め等の方式で顔部分に装着する必要がある。【解決手段】マネキンは、顔を有する頭部と、縁から中央に向かって凹形状であり、顔を覆って、縁が頭部に密着するように嵌まる、着脱自在なマスクとを備え、マスクは、顔と相補的な部分を含み、頭部は、頭頂部と後頭部と側頭部と耳部と頬部と頤部とを更に有し、マスクの縁は、頭頂部における、脳天よりも後頭部側の部分と、側頭部における、耳部よりも顔側の部分と、頬部と、頤部とを通るように位置する。【選択図】図６
2018102759.tif 000002
【特許請求の範囲】
【請求項１】
顔を有する頭部と、
縁から中央に向かって凹形状であり、前記顔を覆って、前記縁が前記頭部に密着するように嵌まる、着脱自在なマスクと
を備えるマネキン。
【請求項２】
前記マスクは、前記顔と相補的な部分を含む、
請求項１に記載のマネキン。
【請求項３】
前記頭部は、頭頂部と後頭部と側頭部と耳部と頬部と頤部とを更に有し、
前記マスクの前記縁は、前記頭頂部における、脳天よりも前記後頭部側の部分と、前記側頭部における、前記耳部よりも前記顔側の部分と、前記頬部と、前記頤部とを通るように位置する、
請求項１または２に記載のマネキン。
【請求項４】
前記頤部は下方凸形状を有し、
前記マスクは、前記下方凸形状と相補的な部分を含む、
請求項３に記載のマネキン。
【請求項５】
前記マスクは、熱可塑性樹脂を用いて形成される、請求項１から４の何れか一項に記載のマネキン。
【発明の詳細な説明】
【技術分野】
【０００１】
本発明は、マネキンに関する。
【背景技術】
【０００２】
顔部分にお面部材が装着されるマスコット人形が知られている（例えば、特許文献１、特許文献２）。
［特許文献１］実用新案登録第３１２９５０４号公報
［特許文献２］特開２００８−１３７３７５号公報
【発明の概要】
【発明が解決しようとする課題】
【０００３】
上記のマスコット人形では、お面部材を両面テープ、接着剤、マグネット、ボタン、パッチン止め等の方式で顔部分に装着する必要がある。
【０００４】
本発明の一態様においては、顔を有する頭部と、縁から中央に向かって凹形状であり、顔を覆って、縁が頭部に密着するように嵌まる、着脱自在なマスクとを備えるマネキンが提供される。
【０００５】
上記の発明の概要は、本発明の必要な特徴の全てを列挙したものではない。これらの特徴群のサブコンビネーションもまた発明となり得る。
【図面の簡単な説明】
【０００６】
【図１】マスク１００の正面図である。
【図２】図１のＡ−Ａ線におけるマスク１００の断面図である。
【図３】マスク１００をマネキン２００に装着する方法を示す説明図である。
【図４】マスク１００をマネキン２００に装着する方法を示す説明図である。
【図５】マスク１００をマネキン２００に装着する方法を示す説明図である。
【図６】マネキン２００に装着されたマスク１００の縁１３０の位置を示す説明図である。
【図７】マスク３００が装着されたマネキン２００の正面図である。
【図８】マスク４００が装着されたマネキン２００の正面図である。
【発明を実施するための形態】
【０００７】
以下、発明の実施の形態を説明する。下記の実施形態は特許請求の範囲にかかる発明を限定するものではない。実施形態の中で説明されている特徴の組み合わせの全てが発明の解決手段に必須であるとは限らない。
【０００８】
図１は、マスク１００の正面図であり、図２は、図１のＡ−Ａ線におけるマスク１００の断面図である。マスク１００は、熱可塑性樹脂、例えばＰＥＴ（ポリエチレンテレフタラート）、ＡＢＳ樹脂（アクリロニトリルブタジエンスチレン樹脂）、ポリカーボネート（ＰＣ）から構成される。マスク１００は、そのような熱可塑性樹脂から構成される厚さ０．５ｍｍから１ｍｍの板を加熱して、例えばＦＲＰ（繊維強化樹脂）製のマネキン雄型の顔表面にセットし、真空状態にしてマネキン雄型の顔表面に密着させることで成型する、いわゆるバキューム成型（バキュームフォーム）によって形成される。このようにして作られるマスク１００は、図１および図２に示されるように、マネキン雄型の顔表面形状と相補的な形状を有し、その厚みはとても薄いものの形状を維持できるほどの硬度を有し、また様々な装飾を施すことができるので、例えば異なる表情を有する複数のマスク１００を壁掛け展示すること等にも適している。
【０００９】
マスク１００は、顎周辺の領域を含む下側部分１１０と、額周辺の領域を含む上側部分１２０と、上述の成型方法においてマスク１００の素材の板から不要な部分を除去したときの切断部分である縁１３０と、マスク１００の中央に位置する前側部分１４０とを備える。このような構成により、マスク１００は、縁１３０から中央の前側部分１４０に向かって凹形状を有する。
【００１０】
図３から図５は、マスク１００をマネキン２００に装着する方法を示す説明図である。先ず、マネキン２００について説明する。
【００１１】
マネキン２００は、樹脂、例えばＦＲＰ（繊維強化樹脂）で構成され、少なくとも頭部２０１を備える。マネキン２００は、胴部を備えていてもよく、四肢を胴に取り付けて可動にするための関節構造を有していてもよい。また、両腕部、及び、両脚部の少なくとも１つが無いマネキン、いわゆるトルソーであってもよい。図示されるマネキン２００は、胴部と両腕部とを備えているが、説明の明確化の為、関節構造も、両腕部と胴部との境界線も示されていない。
【００１２】
ここで、マスク１００は、バキューム成型でマネキン雄型の顔表面に密着するように成形されているが、このマネキン雄型は、マネキン２００を成形するのに用いる雌型によって、形作られている。つまり、マネキン２００の形状は、マネキン雄型の形状と対応する。よって、マネキン雄型の顔表面形状と相補的な形状を有するマスク１００は、マネキン２００の顔表面形状とも相補的な形状を有する。
【００１３】
マネキン２００の頭部２０１は、顎周辺の領域を含む下側部分２１０と、額周辺の領域を含む上側部分２２０と、目、鼻および口等の凸凹形状を含む顔２４０と、頭部２０１の表面から緩やかに僅かに突出している耳部２５０とを備える。
【００１４】
マスク１００をマネキン２００に装着するには、先ず、図３に示されるように、マスク１００の凹状の内面を、マネキン２００の顔２４０に向ける。そして、図４に示されるように、マスク１００の下側部分１１０の内面を、マネキン２００の下側部分２１０の下方から黒塗りの矢印の方向へ押し当てる。このとき、マスク１００の他の部分は、未だマネキン２００に接触していない。
【００１５】
次に、図５に示されるように、マスク１００の下側部分１１０がマネキン２００の下側部分２１０に接触した状態のまま、順に、マスク１００の前側部分１４０の内面をマネキン２００の顔２４０に接触させ、マスク１００の上側部分１２０の内面をマネキン２００の上側部分２２０に接触させるように、マスク１００を黒塗りの矢印の方向へ押し当てていく。このとき、マスク１００の内面とマネキン２００の装着面との間の空気を押し出すように押し当てていく。
【００１６】
このようにして、マネキン２００の顔２４０が全体的にマスク１００の前側部分１４０の内面に押し当てられるまでマスク１００を押し込むと、顔２４０はマスク１００に覆われ、マスク１００の縁１３０が頭部２０１に密着するように嵌まり、マスク１００が装着される。マスク１００を外す場合は、この取り付ける操作を逆順に行うことで容易に外すことができる。これまでの説明から理解されるが、マスク１００には、マネキン２００への装着用に別部材は何ら取り付けられておらず、一体的であり、切り欠きや穴や係合用突起などは形成されていない。また、角張った所もなく、滑らかな形状である。
【００１７】
図６は、マネキン２００に装着されたマスク１００の縁１３０の位置を示す説明図である。図６では、説明の明確化の為、マスク１００は点線で示され、マスク１００に覆われている部分が透けて見えるように描かれている。また、マネキン２００の頭部２０１には、一般的な人体の頭部における区分けされた複数の領域に対応するものが、点線で区分けされて示されている。
【００１８】
図６に示されるように、マネキン２００の頭部２０１は、頭頂部２６１と、後頭部２６２と、側頭部２６３と、頬部２６４と、頤部２６５とを更に有する。頭頂部２６１は、頭のてっぺんである脳天２７１、換言すると、両目の中間を通る正中面と両耳を通る前頭面との頭頂部上での交差点である百会を含む。マネキン２００に装着されたマスク１００の縁１３０は、頭頂部２６１における脳天２７１よりも後頭部２６２側の部分と、側頭部２６３における、耳部２５０よりも顔２４０側の部分と、頬部２６４と、頤部２６５とを通るように位置する。また、図６に示されるように、頭部２０１の下側部分２１０は、下方凸形状の顎部を有し、マスク１００の下側部分１１０は、その下方凸形状と相補的な形状を含む。つまり、マスク１００の下側部分１１０は、縁１３０に近づくに連れて、上側部分１２０に向かって湾曲した形状を有する。
【００１９】
マスク１００は例えばＰＲＴ等の熱可塑性樹脂で形成され、マネキン２００は例えばＦＲＰで形成されるので、両方とも多少の弾性力を有する。マスク１００の縁１３０が、頭部２０１の顎部の裏側から面接触し、頭部２０１の脳天２７１を跨いだ位置で、すなわち頭部２０１のてっぺんよりやや後ろ側から頭頂部２６１に面接触するので、マスク１００とマネキン２００との互いの弾性力に対する復元力は、マスク１００を更に頭部２０１に押し当てる方向に働く。これにより、マスク１００を頭部２０１により密着させて装着することができる。
【００２０】
更に、縁１３０が密着するように嵌められることで、マスク１００と頭部２０１との間に外気が入り難く、空気を押し出すように押し当てられていることから、マスク１００を外す方向に力が働いても、吸盤のように、その接触面間の圧力が大気圧より低くなるので、マスクが意図せずに外れてしまうことを防止できる。
【００２１】
デパートなどの展示場所では、マネキン２００には洋服が着せられ、人々の目に触れられる部分は殆ど無いが、マスク１００は直接人目に付く部分である。そのため、展示者は、雰囲気の異なる展示場所に合わせてマスク１００のデザインも変化させたいと考えるだけでなく、同じ展示場所であっても、人々の注目を多く受けて洋服の購買意欲を高めさせるためにマネキン２００の洋服とマスク１００のデザインとを頻繁に変化させたいとも考える。これまでの実施形態で説明したマスク１００は、前述の材料及び製造方法により、１つのマネキン２００から作られた雄型を用いて、低コスト且つ簡易に量産できることが理解される。従って、異なるデザインを施した同一形状の複数のマスクを用意しておくことで、そのような需要に応えることができる。
【００２２】
図７は、マスク３００が装着されたマネキン２００の正面図である。図８は、マスク４００が装着されたマネキン２００の正面図である。マスク３００およびマスク４００の形状は、マスク１００と同じであり、それぞれ異なるデザインが施され、同一のマネキン２００に装着可能であることが示されている。例えば若い女性向けのアパレルショップでは付けまつげ、口紅、マスカラなどのメイクが施されたマスク３００を鬘と共にマネキン２００に装着させて店内で洋服を展示し、高級ブティックでは現代アート風に奇抜なモノクロデザインが施されたマスク４００をマネキン２００に装着させて店外の歩行者向けのディスプレイに展示することもできる。もちろん、それらの展示場所において、頻繁に行われる洋服の交換に合わせてマスク自体も容易に交換できる。
【００２３】
本実施形態のマネキンによれば、マスクが頭部に密着するように嵌まるだけで装着され、マネキンが傾けられたり多少の衝撃を受けたりしてもマスクが外れることはなく、マスクを交換する場合など意図的に外そうとするときには、マスクを取り付けるときの操作を逆順に行うことで容易に外すことができ、マスクを着脱自在である。マスクの取り付けに両面テープや接着剤を用いていないので、取り外しが困難になることも使用済両面テープの発生も糊が残留してしまうこともなく、マグネットやボタンやゴムひもやパッチン止めのような方式も用いてないので、取り外しに手間がかかることも留め具を順番に取り外すことも取り外しに力を要することもない。
【００２４】
本実施形態のマネキンは、市場に流通している既存の汎用的な例えばＦＲＰ製のマネキンと、そのマネキンを成形するのに用いた雌型から形成された雄型によって作られるマスクとによって、実現できる。例えばマスク取付方法がマグネット方式の場合には、マネキンとマスクの双方にマグネットを設ける必要があるので、市場に流通している汎用的なマネキンには適用できないことは言うまでもない。
【００２５】
本実施形態のマネキンによれば、マネキンの頭部の顔と、その顔と相補的な形状を有するマスクとは、目、鼻および口等の凸凹形状を含むものとして説明した。また、マネキンの頭部は耳部も有するものとして説明した。これに代えて、マネキンの顔および対応するマスクは、目、鼻および口等の少なくとも一部が無い形状であってもよく、また、そのような凸凹形状が一切無い玉子のように滑らかな形状であってもよく、マネキンの頭部は耳部を有さなくてもよい。
【００２６】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態もまた、本発明の技術的範囲に含まれ得ることが、特許請求の範囲の記載から明らかである。
【００２７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００２８】
１００  マスク、１１０  下側部分、１２０  上側部分、１３０  縁、１４０  前側部分、２００  マネキン、２０１  頭部、２１０  下側部分、２２０  上側部分、２４０  顔、２５０  耳部、２６１  頭頂部、２６２  後頭部、２６３  側頭部、２６４  頬部、２６５  頤部、２７１  脳天、３００  マスク、４００  マスク
【図１】
2018102759.tif 000003
【図２】
2018102759.tif 000004
【図３】
2018102759.tif 000005
【図４】
2018102759.tif 000006
【図５】
2018102759.tif 000007
【図６】
2018102759.tif 000008
【図７】
2018102759.tif 000009
【図８】
2018102759.tif 000010